(57)【要約】【課題】外部連絡装置と外部との間の通信ができない状態で乗客がかごに閉じ込められることを防止することができるエレベータ装置を得る。【解決手段】乗場４００に設けられた乗場釦５と、乗場呼びを登録するエレベータ制御装置２１と、かご１に設けられた外部連絡装置３と、電話回線２００を介した外部連絡装置３と監視センタ３００との間の通信が可能であるか否かを判定する回線状態判定装置４とを備え、エレベータ制御装置２１は、乗場釦５が操作された場合に、回線状態判定装置４の判定結果に基づいて、操作された乗場釦５に対応する乗場呼びを登録するか否かを決定する。【選択図】図１
2014169180.tif 000002
【特許請求の範囲】
【請求項１】
乗場に設けられた乗場釦と、
乗場呼びを登録するエレベータ制御装置と、
かごに設けられた外部連絡装置と、
通信回線を介した前記外部連絡装置と外部との間の通信が可能であるか否かを判定する回線状態判定装置と
を備え、
前記エレベータ制御装置は、前記乗場釦が操作された場合に、前記回線状態判定装置の判定結果に基づいて、操作された前記乗場釦に対応する前記乗場呼びを登録するか否かを決定することを特徴とするエレベータ装置。
【請求項２】
前記回線状態判定装置の判定結果を記憶する記憶装置をさらに備え、
前記回線状態判定装置は、所定時間毎に、前記通信回線を介した前記外部連絡装置と前記外部との間の通信が可能であるか否かを判定し、
前記エレベータ制御装置は、前記記憶装置に記憶されている前記回線状態判定装置の最新の判定結果に基づいて、操作された前記乗場釦に対応する前記乗場呼びを登録するか否かを決定することを特徴とする請求項１に記載のエレベータ装置。
【請求項３】
前記回線状態判定装置は、前記乗場釦が操作される度に、前記通信回線を介した前記外部連絡装置と前記外部との間の通信が可能であるか否かを判定することを特徴とする請求項１に記載のエレベータ装置。
【請求項４】
前記乗場に設けられた乗場報知装置をさらに備え、
前記乗場報知装置は、操作された前記乗場釦に対応する前記乗場呼びを登録しないと前記エレベータ制御装置が決定する場合に、前記通信回線を介した前記外部連絡装置と前記外部との間の通信ができない旨を報知することを特徴とする請求項１ないし請求項３の何れか一項に記載のエレベータ装置。
【請求項５】
前記エレベータ制御装置は、操作された前記乗場釦に対応する前記乗場呼びを登録しないと決定した後であって、前記乗場釦が所定操作された場合に、所定操作された前記乗場釦に対応する前記乗場呼びを登録することを特徴とする請求項１ないし請求項４の何れか一項に記載のエレベータ装置。
【請求項６】
乗場に設けられた乗場釦と、乗場呼びを登録するエレベータ制御装置と、かごに設けられた外部連絡装置と、通信回線を介した前記外部連絡装置と外部との間の通信が可能であるか否かを判定する回線状態判定装置とを備えたエレベータ装置を用いた乗場呼び登録方法であって、
前記通信回線を介した前記外部連絡装置と前記外部との間の通信が可能であるか否かについて前記回線状態判定装置が判定する回線状態判定工程と、
前記乗場釦が操作された場合に、前記回線状態判定工程の判定結果に基づいて、操作された前記乗場釦に対応する前記乗場呼びを登録するか否かについて前記エレベータ制御装置が決定する乗場呼び登録決定工程と
を備えたことを特徴とする乗場呼び登録方法。
【発明の詳細な説明】
【技術分野】
【０００１】
この発明は、乗場釦が操作された場合に、操作された乗場釦に対応する乗場呼びを登録するエレベータ装置および乗場呼び登録方法に関する。
【背景技術】
【０００２】
従来、かごと、かごの昇降を制御するエレベータ制御装置と、かごに設けられ、電話回線を介して管制センタとの間で通話が可能な外部連絡装置とを備えたエレベータ装置が知られている。乗客がかごに閉じ込められた場合、かごに閉じ込められた乗客は、外部連絡装置を用いて、自身がかごに閉じ込められた旨を管制センタへ連絡することができる（例えば、特許文献１参照）。
【先行技術文献】
【特許文献】
【０００３】
【特許文献１】特開２００２−２９３４８５号公報
【発明の概要】
【発明が解決しようとする課題】
【０００４】
しかしながら、外部連絡装置が管制センタとの間で通話ができない状態で乗客がかごに閉じ込められた場合には、かごに閉じ込められた乗客は、自身がかごに閉じ込められた旨を管制センタへ連絡することができない。これにより、かごに閉じ込められた乗客を早急に救出することができず、乗客がかごに長時間閉じ込められてしまうという問題点があった。
【０００５】
この発明は、外部連絡装置と外部との間の通信ができない状態で乗客がかごに閉じ込められることを防止することができるエレベータ装置および乗場呼び登録方法を提供するものである。
【課題を解決するための手段】
【０００６】
この発明に係るエレベータ装置は、乗場に設けられた乗場釦と、乗場呼びを登録するエレベータ制御装置と、かごに設けられた外部連絡装置と、通信回線を介した外部連絡装置と外部との間の通信が可能であるか否かを判定する回線状態判定装置とを備え、エレベータ制御装置は、乗場釦が操作された場合に、回線状態判定装置の判定結果に基づいて、操作された乗場釦に対応する乗場呼びを登録するか否かを決定する。
【発明の効果】
【０００７】
この発明に係るエレベータ装置によれば、乗場に設けられた乗場釦と、乗場呼びを登録するエレベータ制御装置と、かごに設けられた外部連絡装置と、通信回線を介した外部連絡装置と外部との間の通信が可能であるか否かを判定する回線状態判定装置とを備え、エレベータ制御装置は、乗場釦が操作された場合に、回線状態判定装置の判定結果に基づいて、操作された乗場釦に対応する乗場呼びを登録するか否かを決定するので、外部連絡装置と外部との間の通信ができない場合には、乗場呼びが登録されることが防止される。これにより、外部連絡装置と外部との間の通信ができない状態で乗客がかごに乗り込むことが防止される。その結果、外部連絡装置と外部との間の通信ができない状態で乗客がかごに閉じ込められることを防止することができる。
【図面の簡単な説明】
【０００８】
【図１】この発明の実施の形態１に係るホームエレベータ装置を示す側面図である。
【図２】図１のホームエレベータ装置を示すブロック図である。
【図３】図１のホームエレベータ装置の動作を示すフローチャートである。
【発明を実施するための形態】
【０００９】
実施の形態１．
図１はこの発明の実施の形態１に係るホームエレベータ装置を示す側面図である。図において、ホームエレベータ装置（エレベータ装置）は、昇降路１００を昇降するかご１と、エレベータ制御システム２と、かご１に設けられた外部連絡装置３と、電話回線（通信回線）２００を介した外部連絡装置３と監視センタ（外部）３００との間の通信が可能であるか否かを判定する回線状態判定装置４と、各階の乗場４００に設けられた乗場釦５と、各階の乗場４００に設けられた乗場スピーカ装置（報知装置）６とを備えている。
【００１０】
図２は図１のホームエレベータ装置を示すブロック図である。図において、回線状態判定装置４は、タイマ（図示せず）を有している。回線状態判定装置４は、所定時間毎に、電話回線２００を介した外部連絡装置３と監視センタ３００との間の通信が可能であるか否かを判定する。電話回線２００を介した外部連絡装置３と監視センタ３００との間の通信が可能であるか否かについて判定する方法としては、例えば、外部連絡装置３から監視センタ３００に電話をかけることができるか否かに基づいて判定する方法が挙げられる。回線状態判定装置４が判定を行う所定時間としては、この例では、２４時間が設定されている。なお、所定時間としては、２４時間に限らず、その他の時間が設定されてもよい。
【００１１】
エレベータ制御システム２は、かご１（図１）の昇降を制御するエレベータ制御装置２１と、回線状態判定装置４の判定結果を記憶する記憶装置２２とを有している。エレベータ制御装置２１は、乗場釦５が操作された場合に、記憶装置２２に記憶されている回線状態判定装置４の最新の判定結果に基づいて、操作された乗場釦５に対応する乗場呼びを登録するか否かを決定する。具体的には、エレベータ制御装置２１は、電話回線２００を介した外部連絡装置３と監視センタ３００との間の通信が可能であると回線状態判定装置４が判定する場合に、操作された乗場釦５に対応する乗場呼びを登録することを決定し、操作された乗場釦５に対応する乗場呼びを登録する。一方、エレベータ制御装置２１は、電話回線２００を介した外部連絡装置３と監視センタ３００との間の通信ができないと回線状態判定装置４が判定する場合に、操作された乗場釦５に対応する乗場呼びを登録しないことを決定する。
【００１２】
エレベータ制御装置２１は、操作された乗場釦５に対応する乗場呼びを登録しないことを決定した後であって、操作された乗場釦５が所定操作された場合に、所定操作された乗場釦５に対応する乗場呼びを登録する。乗場釦５がされる所定操作としては、この例では、乗場釦５が再度押し下げられる操作である再操作が設定されている。なお、所定操作としては、再操作に限らず、例えば、長押し操作が設定されてもよい。
【００１３】
乗場スピーカ装置６は、アナウンスを行うスピーカ６１と、スピーカ６１を制御するスピーカ制御装置６２と、スピーカ６１がアナウンスを行うメッセージが録音されたメッセージ録音媒体６３とを有している。エレベータ制御装置２１は、操作された乗場釦５に対応する乗場呼びを登録しないことを決定する場合に、不登録信号をスピーカ制御装置６２に送信する。スピーカ制御装置６２は、不登録信号を受信した場合に、つまり、操作された乗場釦５に対応する乗場呼びを登録しないことをエレベータ制御装置２１が決定する場合に、スピーカ６１にアナウンスを行わせる。メッセージ録音媒体６３には、電話回線２００を介した外部連絡装置３と監視センタ３００との間の通信ができない旨のメッセージが録音されている。また、メッセージ録音媒体６３には、この状態でホームエレベータ装置の利用時に故障が発生すると、監視センタ３００に連絡することができないために、利用者がかご１に長時間閉じ込められる場合がある旨のメッセージが録音されている。
【００１４】
次に、ホームエレベータ装置の動作について説明する。図３は図１のホームエレベータ装置の動作を示すフローチャートである。まず、回線状態判定装置４は、タイマによるカウントを開始する（ステップＳ１０１）。その後、エレベータ制御装置２１は、乗場釦５が操作されたか否かを判定する（乗場釦操作判定工程）（ステップＳ１０２）。
【００１５】
ステップＳ１０２で、乗場釦５が操作されていないとエレベータ制御装置２１が判定する場合、回線状態判定装置４は、タイマによるカウントの開始から所定時間が経過したか否かを判定する（ステップＳ１０３）。ステップＳ１０３で、タイマによるカウントの開始から所定時間が経過していないと回線状態判定装置４が判定する場合には、ステップＳ１０２に戻る。
【００１６】
一方、ステップＳ１０３で、タイマのカウントの開始から所定時間が経過したと回線状態判定装置４が判定すると、回線状態判定装置４は、電話回線２００を介した外部連絡装置３と監視センタ３００との間の通信が可能であるか否かを判定する（回線状態判定工程）（ステップＳ１０４）。
【００１７】
ステップＳ１０４で、電話回線２００を介した外部連絡装置３と監視センタ３００との間の通信ができないと回線状態判定装置４が判定する場合、記憶装置２２は、電話回線２００を介した外部連絡装置３と監視センタ３００との間の通信ができないと判定した回線状態判定装置４の判定結果を記憶し（ステップＳ１０５）、ステップＳ１０１に戻る。
【００１８】
一方、ステップＳ１０４で、電話回線２００を介した外部連絡装置３と監視センタ３００との間の通信が可能であると回線状態判定装置４が判定する場合、記憶装置２２は、電話回線２００を介した外部連絡装置３と監視センタ３００との間の通信が可能であると判定した回線状態判定装置４の判定結果を記憶し（ステップＳ１０６）、ステップＳ１０１に戻る。
【００１９】
一方、ステップＳ１０２で、乗場釦５が操作されたとエレベータ制御装置２１が判定する場合、エレベータ制御装置２１は、記憶装置２２に記憶されている回線状態判定装置４の最新の判定結果が、電話回線２００を介した外部連絡装置３と監視センタ３００との間の通信が可能であるとする判定結果であるか否かを判定する（ステップＳ１０７）。
【００２０】
ステップＳ１０７で、記憶装置２２に記憶されている回線状態判定装置４の最新の判定結果が、電話回線２００を介した外部連絡装置３と監視センタ３００との間の通信ができないとする判定結果であるとエレベータ制御装置２１が判定する場合、エレベータ制御装置２１は、不登録信号をスピーカ制御装置６２に送信し、スピーカ６１は、電話回線２００を介した外部連絡装置３と監視センタ３００との間の通信ができない旨と、この状態でホームエレベータ装置の利用時に故障が発生すると、監視センタ３００に連絡することができないために、利用者がかご１に長時間閉じ込められる場合がある旨とのアナウンスを行う（報知工程）（ステップＳ１０８）。
【００２１】
ステップＳ１０８の後、エレベータ制御装置２１は、乗場釦５が所定操作されたか否かを判定する（ステップＳ１０９）。ステップＳ１０９で、乗場釦５が所定操作されていないとエレベータ制御装置２１が判定する場合、エレベータ制御装置２１は、操作された乗場釦５に対応する乗場呼びを登録しないことを決定し（乗場呼び登録決定工程）（ステップＳ１１０）、ステップＳ１０１に戻る。
【００２２】
一方、ステップＳ１０９で、乗場釦５が所定操作されたとエレベータ制御装置２１が判定する場合、エレベータ制御装置２１は、操作された乗場釦５に対応する乗場呼びを登録することを決定し（乗場呼び登録決定工程）（ステップＳ１１１）、所定操作された乗場釦５に対応する乗場呼びを登録して、ステップＳ１０１に戻る。
【００２３】
一方、ステップＳ１０７で、電話回線２００を介した外部連絡装置３と監視センタ３００との間の通信が可能であるとエレベータ制御装置２１が判定する場合、ステップＳ１１１に進む。
【００２４】
以上説明したように、この発明の実施の形態１に係るホームエレベータ装置によれば、乗場４００に設けられた乗場釦５と、乗場呼びを登録するエレベータ制御装置２１と、かご１に設けられた外部連絡装置３と、電話回線２００を介した外部連絡装置３と監視センタ３００との間の通信が可能であるか否かを判定する回線状態判定装置４とを備え、エレベータ制御装置２１は、乗場釦５が操作された場合に、回線状態判定装置４の判定結果に基づいて、操作された乗場釦５に対応する乗場呼びを登録するか否かを決定するので、外部連絡装置３と監視センタ３００との間の通信ができない場合には、乗場呼びが登録されることが防止される。これにより、外部連絡装置３と監視センタ３００との間の通信ができない状態で乗客がかご１に乗り込むことが防止される。その結果、外部連絡装置３と監視センタ３００との間の通信ができない状態で乗客がかご１に閉じ込められることを防止することができ、乗客がかご１に長時間閉じ込められてしまうことを防止することができる。また、このホームエレベータ装置によれば、外部連絡装置３と監視センタ３００との間の通信ができない場合には、乗場呼びが登録されることが防止されるので、利用者に対して、外部連絡装置３を電話回線２００に接続する必要性を報知することができる。
【００２５】
また、このホームエレベータ装置は、回線状態判定装置４の判定結果を記憶する記憶装置２２を備え、回線状態判定装置４は、所定時間毎に、電話回線２００を介した外部連絡装置３と監視センタ３００との間の通信が可能であるか否かを判定し、エレベータ制御装置２１は、記憶装置２２に記憶されている回線状態判定装置４の最新の判定結果に基づいて、操作された乗場釦５に対応する乗場呼びを登録するか否かを決定するので、操作された乗場釦５に対応する乗場呼びを登録するか否かについてエレベータ制御装置２１が決定する時に、電話回線２００を介した外部連絡装置３と監視センタ３００との間の通信が可能であるか否かについて回線状態判定装置４が判定する必要がない。これにより、操作された乗場釦５に対応する乗場呼びを登録するか否かについての決定をエレベータ制御装置２１が早く行うことができる。
【００２６】
また、このホームエレベータ装置は、乗場４００に設けられた乗場スピーカ装置６を備え、乗場スピーカ装置６は、操作された乗場釦５に対応する乗場呼びを登録しないとエレベータ制御装置２１が決定する場合に、電話回線２００を介した外部連絡装置３と監視センタ３００との間の通信ができない旨をアナウンスするので、操作された乗場釦５に対応する乗場呼びをエレベータ制御装置２１が登録しない場合に、乗場釦５を操作した利用者に対して、電話回線２００を介した外部連絡装置３と監視センタ３００との間の通信ができない旨を報知することができる。
【００２７】
また、エレベータ制御装置２１は、操作された乗場釦５に対応する乗場呼びを登録しないと決定した後であって、乗場釦５が所定操作された場合に、所定操作された乗場釦５に対応する乗場呼びを登録するので、電話回線２００を介した外部連絡装置３と監視センタ３００との間の通信ができない場合であっても、利用者は、乗場釦５を所定操作することによって、ホームエレベータ装置を利用した移動を行うことができる。
【００２８】
また、この発明の実施の形態１に係る乗場呼び登録方法によれば、電話回線２００を介した外部連絡装置３と監視センタ３００との間の通信が可能であるか否かについて回線状態判定装置４が判定する回線状態判定工程と、乗場釦５が操作された場合に、回線状態判定工程の判定結果に基づいて、操作された乗場釦５に対応する乗場呼びを登録するか否かについてエレベータ制御装置２１が決定する乗場呼び登録決定工程とを備えているので、外部連絡装置３と監視センタ３００との間の通信ができない場合には、乗場呼びが登録されることが防止される。これにより、外部連絡装置３と監視センタ３００との間の通信ができない状態で乗客がかご１に乗り込むことが防止される。その結果、外部連絡装置３と監視センタ３００との間の通信ができない状態で乗客がかご１に閉じ込められることを防止することができ、乗客がかご１に長時間閉じ込められてしまうことを防止することができる。また、この乗場呼び登録方法によれば、外部連絡装置３と監視センタ３００との間の通信ができない場合には、乗場呼びが登録されることが防止されるので、利用者に対して、外部連絡装置３を電話回線２００に接続する必要性を報知することができる。
【００２９】
なお、上記実施の形態１では、エレベータ装置として、ホームエレベータ装置を例に説明したが、これに限らず、その他のエレベータ装置であってもよい。
【００３０】
また、上記実施の形態１では、記憶装置２２を備えたホームエレベータ装置について説明したが、記憶装置２２を備えないホームエレベータ装置であってもよい。この場合、回線状態判定装置４は、乗場釦５が操作される度に、電話回線２００を介して外部連絡装置３と監視センタ３００との間で通信が可能であるか否かを判定し、エレベータ制御装置２１は、回線状態判定装置４の判定結果に基づいて、操作された乗場釦５に対応する乗場呼びを登録するか否かを決定する。これにより、外部連絡装置３と監視センタ３００との間の通信ができない状態で乗客がかご１に閉じ込められることを抑制することができるとともに、ホームエレベータ装置の構成を簡素化することができる。
【００３１】
また、上記実施の形態１では、報知装置として、乗場スピーカ装置６を例に説明したが、これに限らず、乗場表示装置であってもよい。この場合、乗場表示装置は、操作された乗場釦５に対応する乗場呼びを登録しないとエレベータ制御装置２１が決定する場合に、電話回線２００を介した外部連絡装置３と監視センタ３００との間の通信ができない旨を表示する。
【００３２】
また、上記実施の形態１では、外部として、監視センタ３００を例に説明したが、これに限らず、その他の連絡先であってもよい。
【００３３】
また、上記実施の形態１では、通信回線として、電話回線２００を例に説明したが、その他の通信回線であってもよい。
【符号の説明】
【００３４】
１  かご、２  エレベータ制御システム、３  外部連絡装置、４  回線状態判定装置、５  乗場釦、６  乗場スピーカ装置（報知装置）、２１  エレベータ制御装置、２２  記憶装置、６１  スピーカ、６２  スピーカ制御装置、６３  メッセージ録音媒体、１００  昇降路、２００  電話回線（通信回線）、３００  監視センタ（外部）、４００  乗場。
【図１】
2014169180.tif 000003
【図２】
2014169180.tif 000004
【図３】
2014169180.tif 000005